(57)【特許請求の範囲】
【請求項１】
所定の無線通信網を利用した無線通信を行うための無線通信部を備えた携帯通信端末本体と、
一方の端部が上記携帯通信端末本体の一方の筐体端部に対して離脱不能に遊嵌され、他方の端部が当該携帯通信端末本体の上記一方の筐体端部に対して挿脱可能となされた曲棒状部材とを有し、
上記携帯通信端末本体は、上記曲棒状部材の上記他方の端部が当該携帯通信端末本体の上記一方の筐体端部に対して挿入されている時には、所望の通信相手先端末へ上記無線通信部により発信可能な状態となされ、上記曲棒状部材の上記他方の端部が当該携帯通信端末本体の上記一方の筐体端部から離脱された時には、予め決められた所定の通信相手先端末へ上記無線通信部により発信を行うことを特徴とする携帯通信端末。
【請求項２】
請求項１記載の携帯通信端末であって、
上記曲棒状部材は透明部材により形成されており、
上記携帯通信端末本体は、一方の筐体端部内で上記曲棒状部材の上記端部が配される場所近傍に発光素子を備え、当該携帯通信端末への着信があった時に上記発光素子を発光させ、上記透明部材からなる曲棒状部材内部へ当該発光素子からの光を進行させることを特徴とする携帯通信端末。
【請求項３】
請求項１記載の携帯通信端末であって、
上記携帯通信端末本体は、傾斜を検出する傾斜検出部と、情報を表示するための表示部と、上記傾斜検出部により検出した当該携帯通信端末本体の傾斜に応じて上記表示部上に表示される情報を移動させる制御部とを有することを特徴とする携帯通信端末。
【請求項４】
所定の無線通信網を利用した無線通信を行うための無線通信部と、近距離無線通信を行うための近距離無線通信部とを備えた携帯通信端末本体と、
一方の端部が上記携帯通信端末本体の一方の筐体端部に対して離脱不能に遊嵌され、他方の端部が当該携帯通信端末本体の上記一方の筐体端部に対して挿脱可能となされた第１の曲棒状部材と、
上記携帯通信端末本体の他方の筐体端部に対して一方の端部及び他方の端部が共に固定され、キー操作部と近距離無線送信部とを備えたストラップ部が着脱可能となされた第２の曲棒状部材とを有し、
上記携帯通信端末本体は、上記第１の曲棒状部材の上記他方の端部が当該携帯通信端末本体の上記一方の筐体端部に対して挿入されている状態で、上記第２の曲棒状部材に取り付けられたストラップ部の上記キー操作部から所望の通信相手先端末への発信特定情報が入力されて近距離無線送信され、その発信特定情報を上記近距離無線通信部が受信した時、上記発信特定情報に対応した通信相手先端末へ上記無線通信部により発信を行い、上記第１の曲棒状部材の上記他方の端部が当該携帯通信端末本体の上記一方の筐体端部から離脱された時には、予め決められた所定の通信相手先端末へ上記無線通信部により発信を行う
ことを特徴とする携帯通信端末。
【発明の詳細な説明】
【技術分野】
【０００１】
本発明は、例えば携帯電話端末等の携帯通信端末に関する。
【背景技術】
【０００２】
近年は携帯電話端末の普及が進み、大人だけでなく、子供も携帯電話端末を持ち歩くことが多くなってきている。特に、小学生など低年齢の子供を持つ親は、最近のように治安が悪化しつつある現状を踏まえ、防犯等のために子供に携帯電話端末を持たせることを望むことが多い。
【０００３】
一方、市場に出回っている携帯電話端末には様々なデザインのものがあり、ユーザは、それら様々なデザインの携帯電話端末の中から自分の好みのデザインのものを購入して使っている。同様に、携帯電話端末に付けるストラップにおいても多種多様なデザインのものが販売されており、ユーザは、それら多種多様なストラップの中から好みのものを選んで携帯電話端末に取り付けている。
【０００４】
なお、特開２００３−６７７０５号の公開特許公報（特許文献１）には、携帯電話機に付けられるストラップに通信機能を設けることで、ユーザの使い勝手を良くするようにしたストラップ型無線通信装置及び方法が開示されている。
【０００５】
【特許文献１】特開２００３−６７７０５号公報（図１）
【発明の開示】
【発明が解決しようとする課題】
【０００６】
ところで、小学生などの低年齢の子供は、例えば外出時に持っていった小物を何処かに置き忘れてきてしまうことが多く、したがって、子供に携帯電話端末を持たせた場合にもそれを置き忘れてしまうことが考えられる。一方、携帯電話端末は、高価であるだけでなく個人情報を内部に保持しているため、例えば置き忘れてしまうと、非常に大きな損失になり、また、その携帯電話端末が悪意のある他者の手に渡った場合には、その内部の個人情報が悪用されてしまう虞もある。
【０００７】
また現在は、多種多様な携帯電話端末が販売されてはいるが、子供に持たせるものとしては、必ずしも良いデザインであるとは言えないのが現状であり、その端末自体の大きさについても、子供が扱うには多少大きすぎると思われる。更に、使い勝手についても、低年齢の子供が使いこなすには多少複雑過ぎると思われる。
【０００８】
本発明は、このような実情に鑑みて提案されたものであり、例えば子供に持たせるような場合において、子供にとって使い易く且つ置き忘れの防止もでき、また、例えば子供を狙った犯罪の発生等により不測の事態が発生した場合には保護者等が迅速に対処可能な携帯通信端末を提供することを目的とする。
【課題を解決するための手段】
【０００９】
本発明の携帯通信端末は、所定の無線通信網を利用した無線通信を行うための無線通信部を備えた携帯通信端末本体と、一方の端部が携帯通信端末本体の一方の筐体端部に対して離脱不能に遊嵌され、他方の端部が当該携帯通信端末本体の一方の筐体端部に対して挿脱可能となされた曲棒状部材とを有し、携帯通信端末本体は、曲棒状部材の他方の端部が当該携帯通信端末本体の一方の筐体端部に対して挿入されている時には、所望の通信相手先端末へ無線通信部により発信可能な状態となされ、曲棒状部材の他方の端部が当該携帯通信端末本体の一方の筐体端部から離脱された時には、予め決められた所定の通信相手先端末へ無線通信部により発信を行うことにより、上述した課題を解決する。
【００１０】
すなわち、本発明によれば、曲棒状部材を例えば利用者の衣服や鞄等に通した状態で他方の端部を端末本体の一方の筐体端部に挿入することで、当該携帯通信端末が利用者から離れないようにすることができる。また、本発明によれば、曲棒状部材の他方の端部が当該端末本体の一方の筐体端部から離脱された時に、所定の通信相手先端末、つまり当該端末の使用者が子供である場合のその親の端末等へ自動発信するようになされている。
【００１１】
また、本発明の携帯通信端末は、所定の無線通信網を利用した無線通信を行うための無線通信部と近距離無線通信を行うための近距離無線通信部とを備えた携帯通信端末本体と、一方の端部が携帯通信端末本体の一方の筐体端部に対して離脱不能に遊嵌され、他方の端部が当該携帯通信端末本体の一方の筐体端部に対して挿脱可能となされた第１の曲棒状部材と、携帯通信端末本体の他方の筐体端部に対して一方の端部及び他方の端部が共に固定され、キー操作部と近距離無線送信部とを備えたストラップ部が着脱可能となされた第２の曲棒状部材とを有し、携帯通信端末本体は、第１の曲棒状部材の他方の端部が当該携帯通信端末本体の一方の筐体端部に対して挿入されている状態で、第２の曲棒状部材に取り付けられたストラップ部のキー操作部から所望の通信相手先端末への発信特定情報が入力されて近距離無線送信され、その発信特定情報を近距離無線通信部が受信した時、発信特定情報に対応した通信相手先端末へ無線通信部により発信を行い、第１の曲棒状部材の他方の端部が当該携帯通信端末本体の一方の筐体端部から離脱された時には、予め決められた所定の通信相手先端末へ無線通信部により発信を行うことにより、上述した課題を解決する。
【００１２】
すなわち、本発明によれば、第１の曲棒状部材を例えば利用者の衣服や鞄等に通した状態で他方の端部を端末本体の一方の筐体端部に挿入することで、当該携帯通信端末が利用者から離れないようにすることができる。また、本発明によれば、所望の通信相手先端末への発信特定情報を入力するためのキー操作部が携帯通信端末本体に備えられていない場合であっても、第２の曲棒状部材に取り付けられているストラップ部のキー操作部から所望の通信相手先端末への発信特定情報を入力可能となされている。
【発明の効果】
【００１３】
本発明においては、曲棒状部材（第１の曲棒状部材）を例えば利用者の衣服や鞄等に通した状態で他方の端部を端末本体の一方の筐体端部に挿入することで、端末の置き忘れの防止もできる。また、曲棒状部材（第１の曲棒状部材）を例えば衣服や鞄等に通して他方の端部を端末本体の一方の筐体端部に挿入するような操作は簡単であり、子供にも簡単に行える操作である。
【００１４】
また、本発明においては、曲棒状部材の他方の端部が当該端末本体の一方の筐体端部から離脱された時に、所定の通信相手先端末へ発信することにより、例えば子供を狙った犯罪の発生等により不測の事態が発生した場合にその保護者等へ緊急連絡を行うことができる。
【００１５】
また、本発明においては、第２の曲棒状部材に取り付けられているストラップ部のキー操作部から所望の通信相手先端末への発信特定情報を入力可能となされているため、携帯通信端末本体側の操作を簡略化でき、子供にとって使い易い端末が実現されている。
【発明を実施するための最良の形態】
【００１６】
以下、図面を参照しながら、本発明の携帯通信端末の一実施形態について説明する。
【００１７】
なお、本実施形態では、本発明の携帯通信端末の一例として、携帯電話端末を挙げているが、勿論、ここで説明する内容はあくまで一例であり、本発明はこの例に限定されないことは言うまでもない。
【００１８】
〔携帯電話端末の外観及び構成〕
図１〜図３には、本発明実施形態の携帯電話端末１の概略的な外観を示す。なお、図１、図３は本実施形態の携帯電話端末の正面図、図２は斜視図を示している。
【００１９】
本実施形態の携帯電話端末１において、端末本体２は、その筐体内部に後述する回路構成を備え、筐体外部主面側にはディスプレイ５とカメラ部６、例えば三つのボタン８、ロック解除用ボタン７等が設けられている。
【００２０】
ディスプレイ５は液晶等の平面表示デバイスからなり、その画面上には、例えば電話番号や電子メールの文字、アイコン、写真画像、いわゆるテレビ電話の画像等が表示される。
【００２１】
カメラ部６は、レンズ系と撮像デバイスを有し、いわゆるデジタルカメラやビデオカメラとして機能し、また、テレビ電話による通話時にはテレビ電話用の画像撮影を行う。
【００２２】
三つのボタン８は、それぞれ所定の電話番号や電子メールアドレスに対応付けられた押下操作可能な操作子である。それら三つのボタン８のうちの所望の一つのボタンがユーザにより押された時、本実施形態の携帯電話端末１は、当該押されたボタンに対応付けられている電話番号への発呼、若しくは、電子メールアドレスへの発信を行う。なお、それらボタン８の何れかが、予め決められた一定時間以上押された場合にはテレビ電話機能を起動させ、そのボタンに対して登録されている相手先端末との間でテレビ電話による通信ができるようにしても良い。
【００２３】
また、本実施形態の携帯電話端末１において、端末本体２の一方の端部側面２ａ側には、いわゆる南京錠の「Ｕ字型」フックに相当するフック部３が設けられている。当該フック部３のＵ字型の一方の端部３ａは、当該端部３ａに相対応して端末本体２の端部側面２ａ上に設けられている一方の円形穴部（図示は省略する。）内に図３中の矢印Ｙａ方向へ挿脱可能となされており、他方の端部３ｂは、当該他方の端部３ｂに相対応して端末本体２の端部側面２ａ上に設けられている他方の円形穴部（図示は省略する。）に離脱不能に遊嵌されている。また、上記端部側面２ａ側の円形穴部内には、上記フック部３の一方の端部３ａが一定深さ以上挿入された時に、当該端部３ａを円形穴部内に離脱不能に自動ロックするためのロック爪（図示は省略する。）が設けられている。そして、本実施形態の携帯電話端末１において、当該ロック爪によるロックは、ロック解除用ボタン７の押下により解除されるようになされている。なお、フック部３の一方の端部３ａが上記端部側面２ａの一方の円形穴部から離脱した状態の時、当該フック部３の他方の端部３ｂは、図３中の矢印Ｙｂ方向へ回転可能となる。
【００２４】
このように、本実施形態の携帯電話端末１によれば、端末本体２とフック部３により、いわゆる南京錠のような機能を実現しているため、当該フック部３を例えば子供等のユーザのズボンのベルト通し部分や鞄のショルダーベルトや持ち手部などに通してロックすることにより、当該端末１を不用意に落としてしまったり置き忘れてしまうことを防止することができる。
【００２５】
また本実施形態の携帯電話端末１において、端末本体２の他方の端部側面２ｂ側には、例えば「コの字型」の部材４が設けられている。当該コの字型部材４の両端部は、それら両端部に相対応して端末本体２の端部側面２ｂ上に設けられている円形穴部に離脱不能に固定されている。そして、当該コの字型部材４には、例えば後述するネックストラップを取り付け可能となされている。
【００２６】
このように、本実施形態の携帯電話端末１によれば、上記コの字型部材４にネックストラップを着脱可能となされており、当該ネックストラップを例えば子供等のユーザの首にかけることにより、当該端末１を不用意に落としてしまったり置き忘れてしまうことを防止することができる。
【００２７】
さらに本実施形態の携帯電話端末１において、上記フック部３は、例えば透明アクリル樹脂等のような導光可能な部材により形成されており、上記端末本体２の一方の端部側面２ａの上記二つの円形穴部の少なくとも何れか一方内に、ＬＥＤ（発光ダイオード）等の発光素子が設けられている。同様に、上記コの字型部材４も例えば透明アクリル樹脂等のような導光可能な部材により形成されており、上記端末本体２の他方の端部側面２ｂの上記コの字型部材４の両端部を固定している部分の少なくとも何れか一方に、ＬＥＤ等の発光素子が設けられている。したがって、それらＬＥＤが点灯した場合には、各ＬＥＤから出射された光が上記透明アクリル樹脂等の導光部材内を進行することになり、その結果として、フック部３やコの字型部材４全体が発光して見えるようになる。
【００２８】
したがって本実施形態の携帯電話端末１において、例えば着信時などに、上記ＬＥＤを点灯することを行えば、それらフック部３やコの字型部材４の発光によってユーザへ着信の報知を行うことができることになる。なお、上述の説明では、フック部３とコの字型部材４の両方が発光する例を挙げたが、何れか一方のみ発光させるよにしても良いし、それらを交互に発光させるようにしても良い。また、ＬＥＤによる発光は、単色光のみの発光だけでなく、複数の色の発光であっても良く、例えば時間の経過に合わせて発光色を変化させるようにしても良い。
【００２９】
〔キーボード付きネックストラップ〕
ここで、本実施形態において、上記ネックストラップは、例えば図４に示すように、コの字型部材４に着脱可能な着脱部と、例えば数字入力及び文字入力が可能なテンキー１０を備えたキーボード付きネックストラップ９となされている。
【００３０】
また、本実施形態の携帯電話端末１と上記キーボード付きネックストラップ９との間は、例えばいわゆるブルートゥース（BlueTooth）通信や赤外線通信（ＩｒＤＡ）により情報通信が可能となされている。
【００３１】
したがって、本実施形態によれば、当該キーボード付きネックストラップ９を用いることで、例えば電子メール等の文字入力が容易になる。
【００３２】
〔文字の表示〕
また、本実施形態の携帯電話端末１は、上記端末本体２内に傾斜センサを備えており、上記ディスプレイ５上に表示される電子メール等の文章の文字列やアイコン等を、その傾斜センサにより検出した端末本体２の傾きに応じた方向に移動表示させる機能を備えている。
【００３３】
すなわち例えば電子メールを受信した場合、本実施形態の携帯電話端末１は、図５の（Ａ）に示すように電子メールが受信されたことを示すアイコンをディスプレイ５上に表示させると共に、前述したようにフック部３やコの字型部材４を発光させることで、ユーザに対して電子メールの受信を報知する。次いで、本実施形態の携帯電話端末１は、図５の（Ｂ）に示すように、ディスプレイ５上に、上記受信した電子メールの先頭の文字列を表示させる。そしてこの時、例えばユーザにより携帯電話端末１が或る方向へ傾けられると、本実施形態の携帯電話端末１は、図５の（Ｃ）に示すように、その傾きの方向へ文字列が流れるように、つまり図の例では図中矢印Ｙｃへ示す方向へ文字列が流れるように、ディスプレイ５上の文字表示を制御する。
【００３４】
〔ロック解除の管理者限定〕
本実施形態において、当該携帯電話端末１の使用者が例えば子供であるような場合、本実施形態の携帯電話端末１は、その子供の親等の保護者（つまり端末の管理者）だけが上記フック部３のロック解除を行えるような機能、言い換えれば、端末管理者以外はロック解除を行えないようにするロック保護機能を備えていても良い。
【００３５】
なお、ロック保護されている上記フック部３のロック解除の方法については、一般的なパスワード入力とロック解除用ボタン７の連動操作による解除でも良いし、例えば特定のメールアドレスからの所定のメール受信とロック解除用ボタン７の連動操作による解除、特定の電話番号からの着呼とロック解除用ボタン７の連動操作による解除等、様々な方法が適用可能である。
【００３６】
〔ロック解除時の信号自動送信機能〕
本実施形態において、携帯電話端末１は、上記フック部３がロックされている時に、例えばロック解除用ボタン７が押されてフック部３のロックが解除された場合には、予め登録されている所定の電話番号へ自動発呼を行ったり、予め登録されている所定の電子メールアドレスへ所定の電子メールを自動送信するような信号自動送信機能を備えていても良い。また、当該信号自動送信機能は、上述のロック保護機能によりロック解除が親等の管理者に限定されている場合において、その管理者以外により上記ロック解除がなされたときに起動されても良い。なお、上記所定の電話番号や所定の電子メールアドレスとしては、例えば上記子供の親等が所持している携帯電話端末の電話番号や電子メールアドレス、自宅の固定端末の電話番号やメールアドレス、後述するクレードルに設定されている電話番号や電子メールアドレス、親等が契約している警備会社の緊急用電話番号や緊急用電子メールアドレス等を挙げることができる。
【００３７】
このように、本実施形態の携帯電話端末１は、フック部３のロックが解除されたときに、自動的に所定の信号を予め定めた電話番号や電子メールアドレスへ送信可能となされているため、本実施形態の携帯電話端末１の使用者である子供が、例えば不審者等により連れ去られるような緊急事態が発生し、その不審者が携帯電話端末１を捨てようとして上記フック部３のロックを解除等したような場合や、子供が緊急事態を親に知らせようとして自らロックを解除したような場合に、直ぐに親や警備会社等に緊急連絡が入ることになるため、親や警備会社はそのような緊急事態への迅速且つ適切な対処を行うことが可能となる。
【００３８】
なお、上述の説明では、フック部３のロックが正しい方法で解除されなかった場合に緊急連絡を行う一例を挙げて説明したが、その他にも、例えば、コの字型部材４に取り付けられているネックストラップ９が切断等されて外されたことにより、端末本体２がネックストラップ９と近距離通信を行えなくなったような場合に、上述同様の緊急連絡を行うようにしても良い。
【００３９】
また、本実施形態の携帯電話端末１は、いわゆるＧＰＳ（Global Positioning System）機能を具備し、上記フック部３のロックが解除された時に、例えば予め登録されている所定の電話番号や所定の電子メールアドレスに宛てて、上記ＧＰＳ機能が検出した現在位置情報を自動送信する機能を備えていても良い。さらに、当該現在位置情報を自動送信する際には、例えば、テレビ電話機能を立ち上げ、カメラ部６により撮影した映像信号を同時に送信するようにしても良い。
【００４０】
そして、例えば子供の携帯電話端末１のＧＰＳ機能とテレビ電話機能が起動することで現在位置情報と映像信号が送信された場合、上記映像信号については携帯電話システムを通じて親の携帯電話端末へ送られ、現在位置情報については所定のナビゲーションサービスサーバを経由して親の携帯電話端末へ送られる。この時、所定のナビゲーションサービスサーバは、上記子供の携帯電話端末１の現在位置情報と共に、その位置を表示するための地図データを親の携帯電話端末へ送る。
【００４１】
これにより、親の携帯電話端末のディスプレイ１００の画面には、例えば図６に示すように、地図上に子供の現在位置１０２（携帯電話端末１の現在位置１０２）が表示されると共に、当該現在位置に対応した端末１からのテレビ電話映像ウィンドウ１０１が表示される。そして、子供が移動した場合には、当該親の携帯電話端末のディスプレイ１００の画面上の上記現在位置１０２も、上記子供の移動に応じて移動することになる。図６の例で表示されている地図の範囲から、現在位置１０２が外れるような場合には、所定のナビゲーションサービスサーバから、当該現在位置１０２をディスプレイ画面上に表示可能な新たな地図データが供給されることになる。なお、画面の例えば右下に表示されているウィンドウ１０３は、親の携帯電話端末のカメラ部により撮影されている親のテレビ電話映像用のウィンドウである。
【００４２】
このように、本実施形態の携帯電話端末１においては、フック部３のロックが解除されたときに、現在位置情報とテレビ電話映像信号を所定の相手先に宛てて送信可能となされているため、当該携帯電話端末１の使用者である子供が、例えば道に迷ってしまったために親へ連絡したい場合や、例えば外出先で怪我を負ってしまったために親へ連絡したい場合、或いは、外出時に親に迎えに来てもらう場合などに、自分の現在位置とテレビ電話映像を、親に自動的に連絡することが可能となる。これにより、親は、子供の現在位置に基づいて、子供に的確な指示を与えることが可能となる。
【００４３】
勿論、現在位置情報とテレビ電話映像信号の自動送信は、上述した緊急事態の発生時に行われても良い。その他、信号自動送信時には、現在位置情報のみを送信することも可能である。
【００４４】
〔ＱＲコードの貼り付け〕
本発明実施形態の携帯電話端末１は、入力音声やテキスト、簡単な画像等をいわゆるＱＲ（Quick Response）コードに変換する機能と、そのＱＲコードの画像データを例えばカメラ部６により撮影された別の画像（例えば自分撮りの画像）等に付加する機能、印刷されたＱＲコードをカメラ部６により撮影し、その撮影画像からＱＲコードを認識して、音声やテキスト等を復元する機能をも備えている。
【００４５】
〔クレードルとの連携〕
本実施形態の携帯電話端末１は、図７や図８に示すような皿型形状のクレードル８０からの非接触給電により充電可能となされ、また、非接触通信によりクレードル８０との間でデータを送受信する機能を備えている。
【００４６】
本実施形態の携帯電話端末１から非接触通信によりクレードル８０へ送られるデータとしては、カメラ部６により撮影した静止画像や動画像データ、前述したＱＲコードが付加された画像のデータ、電子メールデータ、スケジュールデータ、コメント等のテキストデータなどを挙げることができる。また、当該クレードル８０は、或る携帯電話端末１から取り込んだデータを保存し、その後に別の携帯電話端末１に対して、上記保存しているデータを渡すことも可能となされている。
【００４７】
クレードル８０は、図７に示すように、皿型凹部８３を有する端末受皿部筐体８１と基台部筐体８２とで構成され、上記端末受皿部筐体８１と基台部筐体８２との間８４にはプリント用紙８７にカラー印刷を行うと共に図７中の矢印Ｙｄ方向に用意送りを行うプリンタ部が内蔵されている。当該プリンタ部では、上記携帯電話端末１から受信した静止画像データ（動画像から抜き出した静止画像データも含む）等のカラー印刷が行われる。特に、本実施形態によれば、当該プリンタ部は、前述したＱＲコードが付加された画像等のデータを印刷することも可能となされている。当該カラー印刷の開始は、例えば端末受皿部筐体８３に設けられている印刷ボタン８５の押下、若しくは、携帯電話端末１から送信される印刷開始コマンドの受信により開始される。
【００４８】
また、クレードル８０は、図８に示すように、近距離無線通信（ケーブルを用いた有線通信でも良い）により、例えばテレビジョン受像機９０に接続されており、上記携帯電話端末１から受信した静止画像や動画像データ、電子メールデータ、スケジュールデータ、コメント等のテキストデータなどを、上記テレビジョン受像機９０へ送信可能となされている。上記テレビジョン受像機９０へのデータ送信の開始は、例えば端末受皿部筐体８３に設けられている再生ボタン８６の押下、若しくは、携帯電話端末１が端末受皿部筐体８１の皿型凹部８３に置かれた時に当該携帯電話端末１から自動送信されるデータ送信開始コマンドの受信により開始され、これにより、テレビジョン受像機９０の画面上には、静止画像や動画像、テキストデータなどが表示されることになる。なお、クレードル８０に接続される機器は、テレビジョン受像機９０だけでなく、パーソナルコンピュータであっても良い。
【００４９】
さらに、クレードル８０は電話通信機能を備えていても良く、その電話通信機能の電話番号は前述した携帯電話端末１のフック部３のロック解除がなされたときに信号自動送信がなされる宛先電話番号に設定されていても良い。これにより、例えば、携帯電話端末１のフック部３のロック解除がなされ、その携帯電話端末１から現在位置情報とテレビ電話映像信号の自動送信がなされたような場合、当該クレードル８０に接続されたテレビジョン受像機９０の画面上には、例えば前述の図６のように、地図上に子供の現在位置１０２（携帯電話端末１の現在位置１０２）とテレビ電話映像ウィンドウ１０１のウィンドウが表示されることになる。なおこの場合、図６のウィンドウ１０３については表示されない。
【００５０】
〔携帯電話端末の内部構成〕
図９には、前述した各機能を実現可能な本実施形態の携帯電話端末１の概略的な内部回路構成を示す。
【００５１】
図９において、データラインは、音声データや電子メールデータ、画像データなの各種データを伝送するための伝送ラインである。
【００５２】
制御ラインは、ＣＰＵ（中央処理ユニット）により構成されている制御部３０からの制御データなどの各種制御情報を伝送するための伝送ラインである。
【００５３】
アンテナ３２は、前述した端末本体２に内蔵されたアンテナであり、通信回路３１に接続され、信号電波を送受信するのに用いられる。
【００５４】
通信回路３１は、送受信信号の周波数変換、変調と復調等を行う。
【００５５】
ここで、上記アンテナ３２及び通信回路３１にて受信された通話音声データは音声処理部３６へ送られ、それ以外の受信データは、制御部３０へ送られて適切に処理された後、必要に応じて当該制御部３０から各部へ送られる。なお、通話音声以外の受信データは、パケット通信にかかるデータであり、例えば電子メールデータ、動画像や静止画の画像データ、音楽等のデータ、ＨＴＭＬ（Hyper Text Markup Language）データ、プログラムコードのデータ等を挙げることができる。
【００５６】
上記アンテナ３２及び通信回路３１から通話音声データが供給された時の音声処理部３６は、当該通話音声データを復号化し、その復号化後の通話音声データをアナログ音声信号に変換し、そのアナログ音声信号をスピーカ４０若しくは図示しないイヤホンジャックへ送る。
【００５７】
スピーカ４０は、前述した端末本体２に内蔵され、供給されたアナログ音声信号を内部増幅器により増幅した後、その音声信号を可聴音声に変換して外部に出力する。これにより、スピーカ４０からは通話音声が出力されることになる。
【００５８】
マイクロホン４１は、前述した端末本体２に内蔵され、入力音声をアナログ音声信号に変換すると共に内部増幅器により増幅し、さらにそのアナログ音声信号を音声処理部３６に送る。
【００５９】
上記マイクロホン４１から通話音声信号が供給された時の音声処理部３６は、その通話音声信号をディジタル音声データに変換した後に符号化し、さらにその符号化後の通話音声データを通信回路３１へ送る。これにより、アンテナ３２からは通話音声信号が送信されることになる。
【００６０】
表示部３３は、前述した端末本体２に設けられたディスプレイ５であり、液晶等の表示デバイス及び表示駆動回路を備え、ディスプレイの画面上に画像や文字等を表示する。
【００６１】
操作部３４は、前述した端末本体２に設けられた三つのボタン８と、それらボタン８が操作された時の操作信号を発生する操作信号発生器とからなる。これら三つのボタン８の何れかのボタンが押下操作された時、制御部３０は、当該押されたボタンに対応付けられている電話番号への発呼、若しくは、電子メールアドレスへの発信を行うように、通信回路３１を制御する。
【００６２】
カメラ部４４は、前述した端末本体２に設けられたカメラ部６であり、撮像デバイスにより光像を電気信号に変換して得られた静止画像や動画像のデータを生成し、画像処理部３７に送る。
【００６３】
画像処理部３７は、制御部３０による制御の元で内蔵メモリから読み出された圧縮符号化されている画像データを伸張復号化等し、その伸張復号後の画像データをデータラインを介して表示部３３へ送る。また、画像処理部３７は、カメラ部４４により撮影された静止画像や動画像のデータの圧縮符号化等を行い、その圧縮符号化された画像データを、制御部３０による制御の元で内蔵メモリに送って記憶させる。
【００６４】
メモリ部３５は、ＲＡＭ（Read Only Memory）とＲＡＭ（Random Access Memory）を含む。ＲＯＭは、ＯＳ（Operating System）、制御部３０が各部を制御するための制御プログラムや前述した本実施形態の各機能を実行するためのプログラムコード、各種の初期設定値、フォントデータ、辞書データ、着信音やキー操作音，アラーム音用の各種音データ、電子メールの作成や編集等を行うためのアプリケーション用のプログラムコード、画像や音声に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話帳や電子メールアドレス帳のデータ、静画像や動画像データ、キー操作音，アラーム音用等の音データ、文字データや予測変換の候補単語の登録データや予測変換の学習データ、その他、各種のユーザ設定値等を保存することも可能となされている。ＲＡＭは、制御部３０が各種のデータ処理を行う際の作業領域として、随時データを格納する。
【００６５】
ＧＰＳ部４２は、ＧＰＳにおける測地衛星の発信する電波をＧＰＳ用アンテナ４３を介して受信すると共に、その受信電波に基づいて、自端末の現在位置の緯度及び経度を求める。このＧＰＳ部４２がＧＰＳ用アンテナ４３を介して受信したＧＰＳデータ（緯度，経度を表す情報）は制御部３０へ送られる。
【００６６】
傾斜センサ４６は、前述の図５で説明したように、端末本体２が傾けられた時の傾斜角度を検出し、その検出情報を制御部３０に送る。これにより、制御部３０は、端末本体２の傾きに応じた図５のようは表示制御を行うことができる。
【００６７】
ロックセンサ４７は、前述の端末本体２に設けられているロック解除用ボタン７の押下によりフック部３のロックが解除されたか、若しくは、フック部３のＵ字型の一方の端部３ａが端末本体２の端部側面２ａ上の一方の円形穴部内に挿入されてロック爪によりロックされたか否かを検出するためのセンサである。このロックセンサ４７からのロック／ロック解除を示す情報は制御部３０に送られる。これにより、制御部３０は、ロック／ロック解除に応じた先述した機能を実行可能となる。
【００６８】
ＬＥＤ（発光ダイオード）部４５は、三つのボタン８の照明用ＬＥＤ、上記フック部３やコの字型部材４を発光させるためのＬＥＤと、それら各ＬＥＤの駆動回路とからなる。当該ＬＥＤ部４５は、制御部３０の制御の元で発光駆動される。
【００６９】
近距離無線通信部３８は、前述の図４に示したように、本実施形態の携帯電話端末１のコの字型部材４に取り付けられたキーボード付きネックストラップ９から、ブルートゥース通信や赤外線通信により送られてくるキー操作データを受信する。
【００７０】
非接触通信・電力部４８は、誘導電磁界による電磁誘導により、非接触状態で外部からの電力の供給を受けたり、非接触状態で信号の送受信を行うためのデバイスである。非接触状態で電力の供給を受ける場合、非接触通信・電力部４８は、外部からの誘導電磁界による電磁誘導によりコイルアンテナ４９で発生した電流をパワーマネージメントＩＣ５０に送る。これにより当該パワーマネージメントＩＣ５０は、バッテリ５１への充電を行う。また、非接触状態で信号の送受信を行う場合、非接触通信・電力部４８は、外部誘導電磁界からの電磁誘導によりコイルアンテナ４９で受信した信号を制御部３０へ送る。一方、非接触状態で信号の送受信を行う場合、非接触通信・電力部４８は、制御部３０から供給された送信信号に基づいて、コイルアンテナ４９により誘導電磁界を発生させることで、外部へ信号送信を行う。
【００７１】
バッテリ５１は、例えば着脱可能な二次電池であり、パワーマネージメントＩＣ５０は、バッテリ５１からの電力を各部へ供給する。また、上記非接触通信・電力部４８を介して外部から電力の供給を受けられる状態になっている場合において、パワーマネージメントＩＣ５０は、バッテリ５１の残容量が少ないときには、その外部からの電力によりバッテリ５１を充電する。
【００７２】
制御部３０は、ＣＰＵからなり、メモリ部３５に記憶されているＯＳや各種プログラムに基づいて、携帯電話端末の制御、前述した本実施形態のかかる各種機能を実現するための制御や各種演算を行う。
【００７３】
〔キーボード付きネックストラップの内部構成〕
図１０には、前述の図４に示した本実施形態にかかるキーボード付きネックストラップ９の概略的な内部回路構成を示す。
【００７４】
図１０に示すキーボード付きネックストラップ９において、キーマトリクス部６１は、数字入力及び文字入力が可能なテンキー１０の各操作子からなる。
【００７５】
送信データ生成部６２は、テンキー１０の各操作子に対する押下操作に応じた信号を発生し、その操作信号から送信データを生成する。
【００７６】
近距離無線通信部６３は、上記送信データ生成部６２により生成された送信データから、ブルートゥース通信や赤外線通信のフォーマットに応じた送信信号を生成し、その送信信号を本実施形態の携帯電話端末１の近距離無線通信部３８へ送信する。
【００７７】
なお、当該キーボード付きネックストラップ９で使用する電力は、内蔵小型電池から供給されても良く、また、携帯電話端末１から電磁誘導により供給されても良い。
【００７８】
〔クレードルの内部構成〕
図１１には、前述の図７，図８に示した本実施形態にかかるクレードル８０の概略的な内部回路構成を示す。
【００７９】
図１１において、近距離無線通信部７５は、前述の図８に示したように、テレビジョン受像機９０との間でブルートゥース通信や赤外線通信により、静止画像や動画像データ、テキストデータなどの情報通信を行う。
【００８０】
操作部７２は、図７に示した端末受皿部筐体８３に設けられている印刷ボタン８５や再生ボタン８６と、それらボタン８５や８６が操作された時の操作信号を発生する操作信号発生器とからなる。
【００８１】
プリンタ部７１は、上記携帯電話端末１から送られた静止画像データ（動画像から抜き出した静止画像データやＱＲコードが付加された画像データも含む）等を、制御部７０カラー印刷を行う。
【００８２】
電話通信部７７は、前述した携帯電話端末１のフック部３のロック解除がなされたときに送信される信号を電話回線を介して受信するための電話受信機能部である。
【００８３】
非接触通信・給電部７３は、誘導電磁界による電磁誘導により、非接触状態で外部へ電力を供給したり、非接触状態で信号の送受信を行うためのデバイスである。非接触状態で外部つまり本実施形態の携帯電話端末１へ電力を供給する場合、非接触通信・給電部７３は、コイルアンテナ７４により誘導電磁界を発生させることで、携帯電話端末１への給電を行う。また、非接触状態で信号の送受信を行う場合、非接触通信・給電部７３は、外部（つまり本実施形態の携帯電話端末１）からの誘導電磁界の電磁誘導によりコイルアンテナ７４で受信した信号を制御部７０へ送る。一方、非接触状態で信号の送受信を行う場合、非接触通信・給電部７３は、制御部７０から供給された送信信号に基づいて、コイルアンテナ７４により誘導電磁界を発生させることで、外部（本実施形態の携帯電話端末１）へ信号送信を行う。
【００８４】
制御部７０は、ＣＰＵからなり、このクレードル８０の制御、前述した本実施形態にかかるクレードル８０の各種機能を実現するための制御や各種演算を行う。
【００８５】
〔まとめ〕
以上説明したように、本実施形態によれば、いわゆる南京錠のような機能を備えたフック部３を有することにより、子供にとって使い易く且つ当該端末１を不用意に落としてしまったり置き忘れてしまうことを防止することができる。また本実施形態によれば、フック部３のロックが解除されたときに、自動的に所定の信号を予め定めた電話番号や電子メールアドレスへ送信可能となされているため、例えば子供を狙った犯罪の発生等により不測の事態が発生した場合に保護者等が迅速に対処可能である。さらに、本実施形態によれば、三つのボタン８の操作により所定の電話番号への発呼や電子メールアドレスへの発信が行え、さらに、クレードル８０上に携帯電話端末１を置くだけで、自動的に充電と情報の送受信が行われるため、子供にとって使い易いものとなっている。
【００８６】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００８７】
例えば、本発明の携帯通信端末は、携帯電話端末に限定されず、ＰＤＡ等の各種の携帯端末にも適用可能である。
【００８８】
また、上述した実施形態の携帯電話端末は、その全体的な形状が南京錠型となされた例に挙げたが、本発明はそれに限定されず、その他の形式の錠に応じた形状にも適用可能である。
【図面の簡単な説明】
【００８９】
【図１】本発明実施形態の携帯電話端末の概略的な外観正面図である。
【図２】本発明実施形態の携帯電話端末の概略的な外観斜視図である。
【図３】本発明実施形態の携帯電話端末においてフック部のロックが外された状態を示す概略的な外観正面図である。
【図４】本発明実施形態の携帯電話端末のコの字型部材にキーボード付きネックストラップが取り付けられた状態を示す図である。
【図５】本発明実施形態の携帯電話端末を傾けることでディスプレイ上の表示を移動させる表示制御の説明に用いる図である。
【図６】子供の携帯電話端末から現在位置とテレビ電話映像信号が送信された場合において、親の携帯電話端末のディスプレイ画面上に地図と子供の現在位置及びテレビ電話映像のウィンドウが表示された例を示す図である。
【図７】本発明実施形態のクレードルの概略的な外観斜視図である。
【図８】本発明実施形態のクレードルと携帯電話端末とテレビジョン受像機の関係説明に用いる図である。
【図９】本発明実施形態の携帯電話端末の概略的な内部構成を示すブロック図である。
【図１０】本発明実施形態のキーボード付きネックストラップの概略的な内部構成を示すブロック図である。
【図１１】本発明実施形態のクレードルの概略的な内部構成を示すブロック図である。
【符号の説明】
【００９０】
１  携帯電話端末、２  端末本体、２ａ，２ｂ  筐体端部側面、３  フック部、４  コの字型部材、５  ディスプレイ、６  カメラ部、７  ロック解除用ボタン、８  三つのボタン、９  キーボード付きネックストラップ、１０  テンキー、３０  制御部、３１  通信回路、３２  通信用のアンテナ、３３  表示部、３４  操作部、３５  メモリ部、３６  音声処理部、３７  画像処理部、３８  近距離無線通信部、４０  スピーカ、４１  マイクロホン、４２  ＧＰＳ部、４３  ＧＰＳ用アンテナ、４４  カメラ部、４５  ＬＥＤ部、４６  傾斜センサ、４７  ロックセンサ、４８  非接触通信・電力部、  ４９  コイルアンテナ、５０  パワーマネージメントＩＣ、５１  バッテリ、６１  キーマトリクス部、６２  送信データ生成部、６３  近距離無線通信部、７０  制御部、７１  プリンタ部、７２  操作部、７３  非接触通信・給電部、７４  コイルアンテナ、７５  近距離無線通信部、７７  電話通信部、８０  クレードル、８１  端末受皿部筐体、８２  基台部筐体、８３  皿型凹部、８５  印刷ボタン、８６  再生ボタン、８７  プリント用紙、９０  テレビジョン受像機、１００  親の携帯電話端末のディスプレイ、１０１  子供のテレビ電話映像ウィンドウ１０１、１０２  現在位置、１０３、親のテレビ電話映像用のウィンドウ
【図１】
0004561554.tif 000002
【図２】
0004561554.tif 000003
【図３】
0004561554.tif 000004
【図４】
0004561554.tif 000005
【図５】
0004561554.tif 000006
【図６】
0004561554.tif 000007
【図７】
0004561554.tif 000008
【図８】
0004561554.tif 000009
【図９】
0004561554.tif 000010
【図１０】
0004561554.tif 000011
【図１１】
0004561554.tif 000012